(57)【要約】【課題】車両データ収集システムにおいて、有効性の高い車両データを効率良く収集する。【解決手段】  車両データ収集システムは、車両が予め設定された車両状況になった場合に、車両データを収集するためのものであり、車両別に、車両データに含まれる一部データにより示される車両状態に基づいて、車両データに対する所望の収集条件を設定する条件設定部（２０３）と、この所望の収集条件で、車両の各々から車両データが収集されるように、車両の各々及び当該車両データ収集システムにおける、車両データの発生から収集までを少なくとも部分的に掌る部位を制御する制御部（１０２）とを備える。【選択図】図１
2020140657.tif 000002
【特許請求の範囲】
【請求項１】
車両が予め設定された車両状況になった場合に、該車両状況に係る車両データを収集するための車両データ収集システムであって、
前記車両の各々について車両別に、前記車両データに含まれる一部データにより示される車両状態に基づいて、前記車両データに対する所望の収集条件を設定する条件設定部と、
前記車両別に設定された所望の収集条件で、前記車両の各々から前記車両データが収集されるように、前記車両の各々及び当該車両データ収集システムにおける、前記車両データの発生から収集までを少なくとも部分的に掌る部位を制御する制御部と
を備えることを特徴とする車両データ収集システム。
【発明の詳細な説明】
【技術分野】
【０００１】
本発明は、車両の各々において、予め設定された車両状況になった場合に、該車両状況に係る、各種センサ等を介して取得、検知、発生或いは算出等される各種の車両データを収集するための車両データ収集システムの技術分野に関する。
【背景技術】
【０００２】
この種の装置として特許文献１記載のシステムでは、特定種類の車両データを優先的に収集する仕組みについて言及されている。具体的には、ここでは、特定種類の車両データを優先的に収集するデータ収集条件を規定するスクリプト或いはコンピュータ言語に基づいて、車両データの収集が行われ、サーバを介してデータ収集条件を変更する仕組みについて言及されている。
【先行技術文献】
【特許文献】
【０００３】
【特許文献１】特開２０１６−１３２３６８号公報
【発明の概要】
【発明が解決しようとする課題】
【０００４】
しかしながら、特許文献１に係る背景技術によれば、各種車両データのデータ取得或いはデータ収集のし易さ或いはし難さが、実際には車両毎に相異なるにも拘らず、これを考慮して、車両毎にデータ収集条件を変更する仕組みについては言及されていない。例えば、センサの動作状態、車載ストレージの空き状態、都市部や郊外等の現在位置などの、車両の各部位における現在の状態や車両が現在置かれている外部の状態等が相異なる多数の車両に対して、一律にデータ収集条件を設定或いは変更したのでは、車両データの項目によってはそのデータ収集量が不足又は過大になりかねない。或いは、余分な車両データと共に必要な車両データを収集することになるので、データ収集に費やされるコストやリソースが無駄に増大しかねないという技術的問題点がある。
【０００５】
本発明は、上記問題点に鑑みなされたものであり、有効性の高い車両データを効率的に収集することを可能ならしめる車両データ収集システムを提供することを課題とする。
【課題を解決するための手段】
【０００６】
本発明の一態様に係る車両データ収集システムは上記課題を解決するために、車両が予め設定された車両状況になった場合に、該車両状況に係る車両データを収集するための車両データ収集システムであって、前記車両の各々について車両別に、前記車両データに含まれる一部データにより示される車両状態に基づいて、前記車両データに対する所望の収集条件を設定する条件設定部と、前記車両別に設定された所望の収集条件で、前記車両の各々から前記車両データが収集されるように、前記車両の各々及び当該車両データ収集システムにおける、前記車両データの発生から収集までを少なくとも部分的に掌る部位を制御する制御部とを備える。
【０００７】
本発明のこのような作用及び他の利得は、これ以降に説明する実施形態により明らかにされる。
【図面の簡単な説明】
【０００８】
【図１】実施形態に係る車両データ収集システムの図式的なブロック図である。
【図２】実施形態で用いられるデータ収集要件書の一例を示すテーブルである。
【図３】実施形態で用いられるデータ収集要件書の他の例を示すテーブルである。
【図４】実施形態で用いられるデータ収集要件書の他の例を示すテーブルである。
【図５】実施形態で用いられる位置情報リストの一例を示すテーブルである。
【図６】実施形態で用いられる位置情報リストの他の例を示すテーブルである。
【図７】実施形態における処理の流れを示すフローチャートである。
【発明を実施するための形態】
【０００９】
実施形態に係る車両データ収集システムを、図１から図７を参照して説明する。
【００１０】
図１に示すように、実施形態に係る車両データ収集システムは、車載器１及びサーバ２を含む。図１では、車載器１は説明の便宜上一つのみ図示されているが、車載器１は多数の車両に夫々車載されており、複数の車載器１及びサーバ２が、無線通信によるネットワークに収容されている。
【００１１】
図１において、各車両に搭載される車載器１は、データ受信部１０１、データ収集判定部１０２、通信部１０３及び記憶部１０４を備えて構成されている。
【００１２】
データ受信部１０１は、各種の走行データ、各種の車両情報等を含む車両データを受信すると共に該受信した車両データを記憶部１０４に一時的に記憶するように構成されている。記憶部１０４は、データ受信部１０１で受信された車両データを常時保存し、その容量が一杯になった場合には、データ収集判定部１０２から後述の如き制御指示が特に無ければ、例えば古い車両データから上書きするように構成されている。なお、本実施形態では、車両データのデータ受信部１０１による「受信」及びその記憶部１０４への「記憶」に係る動作或いは処理を、車両データの「取得」と呼ぶ。
【００１３】
ここに「走行データ」は、例えば、車両に搭載された各種センサや各種部位等で発生、検知、取得、算出等される、速度、加速度、走行距離、高度等の当該車両の走行に係るデータである。
【００１４】
他方「車両情報」は、例えば、識別情報と車両状態情報とを含んでなる。「識別情報」は、例えば各車両或いは各ドライバに固有の車両識別情報或いはドライバ識別情報などの、当該車両を識別する情報である。「車両状態情報」は、例えば車両の各種センサや各種部位の動作状態（即ち、正常動作しているか或いは異常若しくは故障か否か）を示す情報、車載ストレージの空き状態（即ち、書込みの可否）を示す情報、都市部や郊外や特定エリア内に位置するか否か或いは高速道路上か一般道路上か更にはＧＰＳによる緯度経路を示す現在位置情報、現在の時刻や昼夜を示す情報、現在の天候や季節或いは温度や湿度を示す情報などの、車両自身の現在の状態や車両が現在置かれている状態等（以下適宜「車両状態」と称する）を示す情報である。
【００１５】
データ収集判定部１０２は、実施形態に係る「制御部」の一例として構成されており、記憶部１０４から現在の車両データを参照し、特定のデータ取得タイミングを判断する。データ収集判定部１０２は、記憶部１０４の記憶領域中の取得対象データ（例えば、当該取得対象データをなす車両データの前後Ｘ秒間の車両データ）が消去されないように保護又は保存する。このように、データ収集判定部１０２は、データ受信部１０１を経て記憶部１０４に記憶された車両データを特定のデータ取得タイミングで取得或いは収集するか否かを、通信部１０３から渡されるデータ収集条件に従って判定するように構成されている。より具体的には、データ収集判定部１０２は、データ収集要件書に従ってサーバ２側でデータ収集が行われるように、データ受信部１０１で車両データを受信するか否か或いは記録部１０４に一時記憶された車両データを廃棄するか若しくは通信部１０３に渡すか否かを制御したり、通信部１０３で車両データを随時に送信するか若しくは一時保存した後に送信するか又はサーバ２側からの指示待ちとするか若しくは一時保存後に破棄するか否かなど、通信部１０３における送信や一時記録を制御する。
【００１６】
通信部１０３は、サーバ２側から当該車両に対して選択された１種類の要件書を、ネットワークを介して受信可能であると共に、受信された要件書により示されるデータ収集要件をデータ収集条件としてデータ収集判定部１０２に渡し、更に記憶部１０４に一時的に記憶された車両データを、データ収集条件に従って適宜に或いは選択的にサーバ２側へ送信する（より具体的には随時に送信する又は一時保存した後に送信若しくは破棄する）ように構成されている。
【００１７】
サーバ２は、ＤＢ（データベース）２００と、走行データを受信する走行データ受信部２０１と、車両情報を受信する車両情報受信部２０２と、複数カテゴリ別の複数の要件書データ２０３ａの中から要件書を自動選択する要件書自動選択部２０３とを備えて構成されている。
【００１８】
走行データ受信部２０１は、車載器１側にある通信部１０３からネットワークを介して送信された車両データのうち走行データを受信し、該受信された走行データをＤＢ２００に適宜格納すると共にそのうち要件書の自動選択に必要なデータ部分を、要件書自動選択部２０３に適宜渡すように構成されている。車両情報受信部２０２は、車載器１側にある通信部１０３からネットワークを介して送信された車両データのうち車両情報（即ち、車両識別情報や車両状態情報）を受信し、該受信された車両情報をＤＢ２００に適宜格納すると共に、そのうち要件書の自動選択に必要なデータ部分を要件書自動選択部２０３に適宜渡すように構成されている。
【００１９】
要件書自動選択部２０３は、実施形態に係る「条件設定部」の一例として構成されており、車両情報（即ち、車両識別情報や車両状態情報）に基づいて、予め想定される各種の車両或いは各種の車両状況に対して或いは予め実績データとしての収集された車両データの分布や偏りからして各種の車両に対して或いは各種の車両状況に対して効率的なデータ収集がなされることが想定されている、予め用意された複数カテゴリ（即ち、カテゴリ１〜カテゴリＮ）別の複数の要件書データ２０３ａの中から、当該車両情報で示される固有の車両及び固有の車両状態に対応する一種類の要件書を自動的に選択するように構成されている。ここに要件書２０３ａのカテゴリによる分類としては、例えば、位置別或いは地域別、故障のモード或いは故障の種類別、目的地別等の車両状態の別を軸に対して、車両データの各値をもとに振り分けるなどがある。
【００２０】
次に図２から図６を参照しながら、以上のように構成された車載器１及びサーバ２の構成及び機能について更に詳述する。
【００２１】
図２に示すように、要件書自動選択部２０３が自動選択する「データ収集要件書」の一例では、予め設定された複数種類のトリガ条件別に、トリガＩＤ（即ち、０×０１〜０×０６）、取得Ｏｎ／Ｏｆｆ、送信Ｏｎ／Ｏｆｆ、アップロードタイミング（即ち、随時、一時保存又はセンター指示待ち）、データパターンＩＤ、及びしきい値（即ち、各トリガ条件が成立する場合における、トリガ条件に対応する車両データ値がトリガ発火となる際のしきい値）が配列されたテーブルとして構成されている。更に特定地点なるトリガ条件に関する欄については、そのしきい値は図中右端寄りに例示されているように、位置＃別の（即ち、＃＝００００〜０８００別の）緯度及び経度からなる取得位置リストが付属される形で構成されている。
【００２２】
データ収集要件書を構成する「トリガ条件」は、例えば、「急減速」、「急加速」、「ニアミスシーン」、「白線未検出」、「雨」、「特定地点」或いは「特定エリア内」、更に「システムエラー検知」、「車載器内における伝送エラー検知」、「車載器内での部位におけるエラー検知」、「車両に設けられた各センサにおけるエラー検知」などの、特定の車両状態に対応する条件である。
【００２３】
具体的には、トリガ条件＝「急減速」では、使用する車両データが加速度センサのセンサデータであり且つ該データの値が、しきい値＝０．６［Ｇ］を上回る場合に相当し、トリガ条件＝「急加速」では、使用する車両データが加速度センサのセンサデータであり且つ該データの値が、しきい値＝−０．６［Ｇ］を下回る場合に相当する。トリガ条件＝「ニアミスシーン」では、車両データが障害物接近データであり且つ該データの値が、しきい値＝２［ＴＴＣ］を下回る（即ち、より接近した）場合に相当し、トリガ条件＝「白線未検出」では、車両データが白線検出データであり且つ該データの値が、しきい値＝３０％を下回る（即ち、より検出できない）場合に相当する。トリガ条件「雨」では、車両データが降雨データであり且つ該データの値が、しきい値＝９０を上回る（即ち、より雨が多い）場合に相当する。トリガ条件＝「特定地点」では、車両データは、ＧＰＳ等による緯度・経度データであり、しきい値＝取得位置リストに含まれる各経度・緯度（例えば、北緯３４．１度、東経１３５．４度）に一致或いはその地点の周囲所定距離内まで接近した場合に相当する。
【００２４】
データ収集要件書を構成する「データパターンＩＤ」は、トリガ条件が成立した場合に、カメラ画像やドライバ関連データの有無など如何なるデータを収集するかも予めパターン化し、ある程度指定可能であることから、トリガ条件に依存して予め決められたデータパターンを示すＩＤである。データパターンＩＤは、取得のオンオフや送信のオンオフとは異なり、トリガ条件が同じであれば変更されることはない。言い換えれば、車載器１上で所定種類の車両データの取得がパターン化され、そのパターンＩＤとしてＩＤ化されたのが、データパターンＩＤということになる。
【００２５】
例えば、データパターンＩＤ１は、ＣＡＮ（Ｃｏｎｔｒｏｌ  Ａｒｅａ  Ｎｅｔｗｏｒｋ）信号等の車両情報、車載カメラＡの映像情報及び車載カメラＢの映像情報を所定期間Ｘ１秒間だけアップロードするパターンを示す。また例えば、データパターンＩＤ２は、ＣＡＮ信号等の車両情報及び車載カメラＡの低画質の映像情報を所定期間Ｘ２秒間だけアップロードするパターンを示し、データパターンＩＤ３は、ＣＡＮ信号等の車両情報及び車載カメラＡの高画質の映像情報を所定期間Ｘ２秒間だけアップロードするパターンを示す。
【００２６】
このようなトリガ条件のしきい値を与えるところの本実施形態に係る「車両データ」は、より一般には、前述のように「走行データ」及び「車両情報」を含み、例えば、（１）各車両に固有の車両識別情報或いはドライバに固有のドライバ識別情報を示す車両データ、（２）センサの動作状態（即ち、故障か異常か正常か等）、車載ストレージの空き状態（即ち、書込みの可否）、都市部や郊外或いは高速道路上か一般道路上か等の現在位置、天候や季節或いは日時や昼夜などの車両自身の現在の状態、車両が現在置かれている状態等（即ち車両状態）に係る車両データ、（３）特定のトリガ条件が成立した旨のデータ、該トリガ条件が成立した際に或いは該トリガ条件が成立するのに相前後して各車両にて発生、取得、検知等される各種ＣＡＮデータ、速度や加速度或いは走行距離センサによる各種走行データ、各種位置データ、各種時刻データ、車載カメラによる低画質や高画質の各種映像データ、天候データ、或いは各種センサデータなどの、特定のトリガ条件が成立した車両に係る車両データなど、広範な車両データを含んでよい。より一般的に言えば、特定のトリガ条件に関連付けられる可能性のある、或いはディープマイニング可能なビッグデータの一部を成し得るような当該車両に係る任意の車両データを含んでよい。更に、いずれの場合も、トリガ条件成立の際における車両データを構成するデータとして、 “データパターンＩＤ”で種類や単位等が規定されるデータは、トリガ条件別に車載器１側からサーバ２側へ適宜送信されることになる。
【００２７】
例えば、ある車両に対して選択された要件書におけるトリガ条件が成立する場合に関し、データ収集量が十分でない、他のトリガ条件が成立する場合或いは他の車両と比較してデータ収集量が相対的に少ないと分析された「急減速」なるトリガ条件に対しては、そのデータ収集が優先的に行われるように、取得がオン（Ｏｎ）とされ、送信もオン（Ｏｎ）とされ、アップロードタイミングも随時（言い換えれば、一時保存することのなく即時にアップロードされるもの）とされている。例えば、当該車両或いはそのドライバの場合には、運転がマイルドで、加減速の幅が小さいことから、優先的にデータ取得がオンとされたものなどと考えらえる。これは、運転が荒い車両或いはドライバよりも、運転がマイルドな当該車両或いはそのドライバが急減速をする場面程、危険な場面に遭遇したと判断できるので、そのように危険な場面のデータ収集を優先させる趣旨となる。
【００２８】
また例えば、「急減速」なるトリガ条件に対して取得をオンとしつつ、他の一又は複数のトリガ条件に対する取得をオフにすることで、収集が望ましい当該急減速なるトリガ条件の車両データを優先的に収集できる。なお、「急減速」なるトリガ条件に対して、データパターンＩＤ“１”が付与されており、例えば、急減速なるトリガ条件が成立した場合には、データパターンＩＤ１に従って、ＣＡＮ信号等の車両情報、車載カメラＡの映像情報及び車載カメラＢの映像情報を所定期間Ｘ１秒間だけアップロードされる。
【００２９】
これに対し例えば、ある車両に対して選択された要件書におけるトリガ条件が成立する場合に関し、データ収集量が十分である、他のトリガ条件が成立する場合或いは他の車両と比較してデータ収集量が相対的に多いと分析された「ニアミスシーン」なるトリガ条件に対しては、そのデータ収集が優先的に行われることがないように（即ち、他のデータ収集が優先的に行われるように）、取得がオフ（Ｏｆｆ）とされ、送信はオン（Ｏｎ）とされつつもアップロードタイミングは一時保存（言い換えれば、即時でなく一定期間保持した後に、アップロード又は廃棄するもの）とされている。例えば、ニアミスシーンが多い車両或いはそのドライバの場合、基本的にニアミスシーンが頻繁に行われるので、優先的にそのようなシーンのデータ取得がオフされたものなどと考えられる。
【００３０】
更に、ある車両に対して選択された要件書におけるトリガ条件が成立する場合に関し、データ収集量が十分である、他のトリガ条件が成立する場合或いは他の車両と比較してデータ収集量が相対的に少ないと分析された「雨」なるトリガ条件に対しては、そのデータ収集が相応に優先的に行われるように、取得がオン（Ｏｎ）とされつつも、送信はオフ（Ｏｆｆ）とされ、アップロードタイミングはセンター指示（即ち、サーバ２側から送信する旨の指示があるまで、記憶部１０４で一時保持し続ける旨の指示）とされている。
【００３１】
このように本実施形態において、トリガ条件の一つとして、「取得」が「オン（Ｏｎ）」にされるとは、対応する車両データのデータ受信部１０１（図１参照）による取得をオンにするという意味である。即ち、取得がオンにされていると、当該トリガ条件の成立の際に或いは当該トリガ条件の成立に相前後して発生等される車両データが、データ受信部１０１により取得されることになる。逆に、「取得」が「オフ（Ｏｆｆ）」にされるとは、対応する車両データのデータ受信部１０１（図１参照）による取得をオフにするという意味である。即ち、取得がオフにされていると、当該トリガ条件の成立の際に或いは当該トリガ条件の成立に相前後して発生等される車両データは、データ受信部１０１により取得されない（破棄される）ことになる。これは、車両データが記憶部１０４に一時記憶された後における破棄により実行されてもよいし、対応するセンサがオフにされることで実行されてもよい。このように、当該取得が「オフ」の場合には、データ収集のためのデータ受信部１０１に関連する資源や時間などは、当該データのデータ収集に費やされることはなくなり、他の優先されるべきデータ収集に費やされることになる。
【００３２】
また、トリガ条件の他の一つとして、「送信」が「オン（Ｏｎ）」にされるとは、対応する車両データの送信をオンにするという意味である。送信がオンにされると、データ送信部１０８（図１参照）からのデータ送信が行われることになる。逆に、「送信」が「オフ（Ｏｆｆ）」にされるとは、対応する車両データの送信をオフにするという意味である。例えば、サーバ２側に関して一時的な通信用制限（例えば、ＸＧＢ／日）に達した場合や、各車載器１及びサーバ２間における通信負荷が集中していて当該車載器１側からサーバ２側へアップロードできる状態ではない場合などに、送信がＯｆｆに設定されつつ、その期間内における車両データを取りこぼすことのないように取得はＯｎに設定される。このように、当該送信が「オフ」の場合には、データ取得や送受信のための諸動作や諸処理更にそれに関連する資源や時間などは、当該収集する価値のない車両データのために費やされることはなくなり、他の優先されるべき車両データのために費やされることになる。
【００３３】
更にまた、「アップロードタイミング」が「随時」にされるとは、対応する車両データの通信部１０３からの送信を随時に行うという意味であり、逆に、「アップロードタイミング」が「一時保存」にされるとは、対応する車両データの通信部１０３からの送信を一時保存してから適宜に行うという意味である。加えて、「アップロードタイミング」が「センター指示」にされるとは、サーバ２側からの送信指示又は不送信指示等に応じて適宜に通信部１０３からの送信を行うという意味である。よって、送信する優先度は、「随時」、「一時保存」、「センター指示」の順に高いことになる。これらの結果、データ収集のための通信部１０３に関連する資源や時間などは、当該データのデータ収集に費やされることは少なくなり、他の優先されるべきデータ収集により多く費やされることになる。
【００３４】
以上のように構成された複数カテゴリ別の複数の要件書は、要件書自動選択部２０３により、当該車両別の車両情報に対応する或いは相応しい一種が選択されることになる。更に、ここで選択された一種は、当該車両におけるデータ収集判定部１０２に渡されて、該取得された一種の要件書に従ってのデータ収集条件で以降のデータ収集が行われることになる。
【００３５】
次に、図３に例示するデータ収集条件要件書において、点線で囲んだ取得Ｏｎ／Ｏｆｆの列、及び送信Ｏｎ／Ｏｆｆの列は、例えば、要件書自動選択部２０３において、対応するデータを発生させるセンサや部位に“故障”或いは“異常”があるものと車両情報から認められる場合には、該“故障”或いは“異常”が認められるセンサや部位で取得或いは発生等された車両データについては、対応する欄がＯｆｆとされた一種が、要件書自動選択部２０３により自動選択される。よって、 “故障”或いは“異常”が認められるセンサや部位で取得或いは発生等された、収集するに値しない車両データについては、車載器１にある段階で、取得や送信されることなく破棄される。
【００３６】
例えば、車両が現在位置する一の地点におけるトリガ条に対応する車両データが、サーバ２側でＤＢ２００に既に大量に蓄積されている場合、当該一の地点に対応するデータ収集条件については、点線で囲んだ取得Ｏｎ／Ｏｆｆの列がＯｆｆにされている要件書が、要件書自動選択部２０３により選択される。また例えば、記憶部１０４等の車載ストレージが取得済のデータでその容量一杯まで満たされている等のため、書き込み不可の場合、データ収集条件については、点線で囲んだ取得Ｏｎ／Ｏｆｆの列がＯｆｆにされている要件書が、要件書自動選択部２０３により選択される。
【００３７】
このように、車両状態に応じて取得のＯｎ／Ｏｆｆ或いは送信のＯｎ／Ｏｆｆ等が切り替えられることで、車載器１側からサーバ２側への収集に値しない車両データの無駄な送信や、サーバ２における収集に値しない車両データの破棄作業をしないで済み、価値ある車両データを、サーバ２側で効率よく収集可能となる。
【００３８】
次に、図４に例示するデータ収集条件要件書において、点線で囲んだしきい値の列は、当該トリガ条件において収集される各項目の車両データのデータ収集量が、理想的なデータ量に比して相対的に多ければ（即ち、過大或いは余剰であれば）、要件書自動選択部２０３により、しきい値が、トリガ条件がより成立し難い側に異なる要件書を自動選択する。逆に、当該トリガ条件において収集される各項目の車両データのデータ収集量が、理想的なデータ量に比して相対的に少なければ（即ち、不足していれば）、要件書自動選択部２０３により、しきい値が、トリガ条件がより成立し易い側に異なる要件書を自動選択する。
【００３９】
例えば、交通量の多い都市部に現在位置する車両に対しては、「急減速」或いは「急加速」なるトリガ条件が成立し易く、その場合における車両データが大量に集まり易いので、点線で囲んだしきい値の列は、要件書自動選択部２０３により、しきい値が、当該トリガ条件がより成立し難い側（言い換えれば、より厳しい側）に異なる要件書が自動選択される。また例えば、白線のかすれが多い或いは未整備の道路が多いエリア内に現在位置する車両に対しては、「白線未検出」なるトリガ条件が成立し易いので、点線で囲んだしきい値の列については、要件書自動選択部２０３により、しきい値が、当該トリガ条件がより成立し難い側に異なる要件書が自動選択され、逆に、整備された道路が多いエリア内に現在位置する車両に対しては、トリガ条件の「白線未検出」が成立し難いので、点線で囲んだしきい値の列については、要件書自動選択部２０３により、しきい値が、当該トリガ条件がより成立し易い側に異なる要件書が自動選択される。
【００４０】
このように、トリガ条件の成否を決定するしきい値を異ならしめることで、車載器１側からサーバ２側への収集に値しない車両データの無駄な送信や、サーバ２における収集に値しない車両データの破棄作業をしないで済み、価値ある車両データを、サーバ側で効率よく収集可能となる。
【００４１】
次に、図５及び図６に夫々例示する位置情報リストは、データ収集要件書における「特定地点」なるトリガ条件の「しきい値」を構成する取得位置リスト（図２参照）に夫々相当するものであり、ここでは、車両別且つエリア別の位置情報リストとして構築されている。
【００４２】
図５において、より具体的には、固有の車両識別情報が付与された車両Ａに関する位置情報リストが、東京都内について規定されている。例えば、各取得位置＃は、東京都内で、事故の多い交差点などに割り当てられた識別番号であり、各位置が緯度・経度（例えば、北緯３５．１度、東経１３９．４度）により特定されている。この際、車両Ａは、車両情報の一つであるその現在位置に基づいて、要件書自動選択部２０３で選択され車両Ａの周辺エリア或いは行き先をカバーする必要最低限の取得位置リスト（即ち、ここでは東京都のみに係る取得位置リスト）を、要件書で示されるデータ取得条件に従って車載器１側で適時に保持すればよい。即ち、広範囲エリアについての取得位置リストや他の車両（例えば、車両Ｂ）が位置するエリアについての取得位置リスト（例えば、図６の位置情報リスト）を、車両Ａ側で保持しておく必要はなくなり、そこでの記憶や管理に係るハードウエア的な及びソフトウエア的な負担が大きく軽減される。
【００４３】
図６において、より具体的には、固有の車両識別情報が付与された車両Ｂに関する位置情報リストが、大阪府内について規定されている。例えば、各取得位置＃は、大阪府内で、事故の多い交差点などに割り当てられた識別番号であり、各位置が緯度・経度（例えば、北緯３４．１度、東経１３５．４度）により特定されている。この際、車両Ｂは、車両情報の一つであるその現在位置に基づいて、要件書自動選択部２０３で選択され車両Ｂの周辺エリア或いは行き先をカバーする必要最低限の取得位置リスト（即ち、ここでは大阪府のみに係る取得位置リスト）を、要件書で示されるデータ取得条件に従って車載器１側で適時に保持すればよい。即ち、広範囲エリアについての取得位置リストや他の車両（例えば、車両Ａ）が位置するエリアについての取得位置リスト（例えば、図５の位置情報リスト）を、車両Ｂ側で保持しておく必要はなくなり、そこでの記憶や管理に係るハードウエア的な及びソフトウエア的な負担が大きく軽減される。
【００４４】
図５及び図６の位置情報リストに夫々示された如き特定地点（取得位置＃００００〜０８００）を、トリガ条件とする要件書が、サーバ２側で要件書自動選択部２０３により自動選択されれば、これを受けて車載器１側では、データ収集判定部１０２による制御下で、各取得位置で取得された車両データが、データパターンＩＤの形式及び単位で送受信され、有効性の高い車両データとして、データベーＤＢ２００データベースに蓄積される。更に、その後におけるデータ解析、特にビックデータ解析やデータマイニングに、有効性の高い車両データとして効率良く活用されることが可能となる。
【００４５】
次に、以上のように構成された実施形態の構成及び機能について、図７のフローチャートを参照しながら更に詳述する。
【００４６】
図７において先ず、車載器１側において、ドライバ操作によりＩＧ＿ＯＮ（イグニション＿オン）状態に遷移すると（ステップＳ１０１）、これを検知したデータ収集判定部１０２（図１参照）は、従前にサーバ２側からネットワークを介して受信済であるか或いはデフォールトである既存の要件書を取得する（ステップＳ１０２）。
【００４７】
続いて、車両側では、データ収集判定部１０２によって、サーバ接続が可能であるか否かを判定する（ステップＳ１０２ａ）。
【００４８】
ステップＳ１０２ａでの判定においてサーバ接続が可能であれば（ステップＳ１０２ａ：Ｙｅｓ）、データ収集判定部１０２は、ネットワークを介して要件書の取得をサーバ２側に要求すると共に車両情報を含む車両データをサーバ２側に送信し、これを受けて、サーバ２側では、要件書自動選択部２０３によって、受信された車両情報に基づいて、要件書の自動選択を実行する（ステップＳ１０３）。言い換えれば、要件書自動選択部２０３は、車両データに含まれる車両情報の内容を考慮して、車両毎に適切な要件書を選択する。ここに「適切な要件書」とは、例えば、車両毎に或いはドライバ毎に収集された車両データを元に、当該車両で収集すべきと判断した車両データに対し積極的に収集オン（即ち、取得オン、送信オンなど）とし、逆に当該車両で収集すべきでないと判断した車両データに対し収集オフ（即ち、取得オフ、送信オフなど）とするなどの要件書である。
【００４９】
車載器１側では、このように自動選択され送信された要件書を通信部１０３で受信し、該受信された要件書でデータ取得条件或いはデータ収集条件を更新する（ステップＳ１０４）。これらのステップＳ１０３及びＳ１０４の処理を経た後、実際に車両データを収集する処理（ステップＳ１０５）へ進む。なお、この場合に取得される要件書は、例えば図２から図４に例示した如きであり、固有の車両や車両状態、更には車両が置かれた環境或いは時期の相違に依存して基本的に内容が異なる。
【００５０】
他方、ステップＳ１０２ａでの判定においてサーバ接続が不可能であれば（ステップＳ１０２ａ：Ｎｏ）、これらのステップＳ１０３及びＳ１０４の処理を経ることなく、実際に車両データを収集する処理（ステップＳ１０５）へ進む。この場合、車載器１に組み込まれたデフォールトの要件書に沿ってデータ取得条件を更新してもよいし、車載器１に残されていた直近にサーバ２側から取得した従前の要件書に沿ってデータ取得条件を更新してもよい。なお、この場合に用いられる要件書は、例えば図２から図４に例示した如きであり、やはり固有の車両や車両状態、更には車両が置かれた環境或いは時期の相違に依存して基本的に内容が異なる。
【００５１】
次にステップＳ１０５の処理では先ず、データ収集判定部１０２によって、トリガ発火が検出され、即ちトリガ条件の成立が検出され（ステップＳ１０６）、該検出されたトリガ発火に対応する車両データのデータ受信部１０１によるデータ取得及び通信部１０３による一時保存等が実行される（ステップＳ１０７）。
【００５２】
図７において、続いて、データ収集判定部１０２による制御下で、通信部１０３は要件書にあるデータ収集条件に従って、当該車載器１に内包されたトリガ条件に係る車両データの収集ロジック或いは送信ロジックにおけるオンオフ等を切り替えることで、最終的には該取得された車両データを適宜に適切な項目及び分量だけ、ネットワークを介してサーバ２側へ送信する（ステップＳ１０８）。サーバ２側では、ＤＢ（データベース）２００に、車載器１側から送信され走行データ受信部２０１や車両情報受信部２０２で受信された車両データを蓄積する（ステップＳ１０９）。
【００５３】
ここで車両データの送受信では、各種センサの情報（例えば、カメラ画像、ミリ波、ＣＡＮ信号に係る情報など）を、収集すべき車両データの一部として、パッケージング（即ち、送信を容易とするように圧縮集約）して、一時的に記憶部１０４に保存した後に選択的に送受信する。この際、記憶部１０４に一時的に保存される車両データは、トリガ発火の際に検出される車両データの他、トリガ発火に相前後して検出される車両データを含んでよい。
【００５４】
なお、記憶部１０４に一時的に保存する理由は、データ収集時に外部に（具体的には、ネットワークを介してサーバ２に）通信可能な状態にある保証がないから、及びデータ送信にも処理リソースが必要であり、車載器１が構築されている車両のＥＣＵ（Ｅｎｇｉｎｅ  Ｃｏｎｔｒｏｌ  Ｕｎｉｔ）上で、制御にかかわる優先的な他の処理が動作している可能性があるからである。
【００５５】
更に、送信部１０３からの送信のタイミングは、上述の記憶部１０４への保存処理の一連の流れとしてではなく、ネットワークを介しての通信状態や当該車両のＥＣＵ全体の処理リソースの空き状況などを監視した上での、送信に適切なタイミングとされる。よって、一度の送信処理で、複数のデータ送信を行うこともあり得る。言い換えれば、適切なタイミングまで待った後に、単独で又は纏めてデータ送信が行われる。
【００５６】
図７において、続いて破線で囲まれたステップ１０５の処理が、ステップＳ１０６のトリガ発火が起こる毎に繰り返し実行され、最終的には、車両側において、ドライバ操作によりＩＧ＿ＯＦＦ（イグニション＿オフ）状態に遷移し（ステップＳ１１０）、一連の処理が終了する。なお、以上説明した本実施形態では、データ受信部１０１及び通信部１０３（図１参照）が、本実施形態に係る「車両データの発生から収集までを少なくとも部分的に掌る部位」に相当する。また、本実施形態に係る「条件設定部」の一例が、要件書自動選択部２０３から構成されており、本実施形態に係る「制御部」の一例が、データ収集判定部１０２から構成されている。
【００５７】
以上に説明した実施形態から導き出される発明の態様を以下に説明する。
【００５８】
本発明の一態様に係る車両データ収集システムは、車両が予め設定された車両状況になった場合に、該車両状況に係る車両データを収集するための車両データ収集システムであって、前記車両の各々について車両別に、前記車両データに含まれる一部データにより示される車両状態に基づいて、前記車両データに対する所望の収集条件を設定する条件設定部と、前記車両別に設定された所望の収集条件で、前記車両の各々から前記車両データが収集されるように、前記車両の各々及び当該車両データ収集システムにおける、前記車両データの発生から収集までを少なくとも部分的に掌る部位を制御する制御部とを備える。
【００５９】
この態様によれば、条件設定部では、車両側から渡される車両状態に基づいて、車両データに対する所望の収集条件を設定する。これを受けて、制御部では、例えば、車両において、優先的に特定項目又は優先的に特定項目且つ特定車両に係る車両データを取得するか否かの制御や、該車両データをサーバ側へ送信するか否かの制御や、該車両データのサーバ側へのアップロードを随時行うか又は一時保存した後に適宜行うかの制御等を、各車両において実行する。すると、車両毎に、設定された所望の収集条件で車両データを収集することが可能となり、特定の車両状況のデータが不足したり過大になったりする事態を効率良く軽減或いは未然防止できる。
【００６０】
このように本態様により、車両毎にその車両状態を考慮して効率的に、言い換えれば、実践上キャパシティ的及びアビリティ的に或いはコスト的に（例えば、通信費やサーバ使用料、サーバ保守費等の観点から）限界があるハードウエア資源を利用しつつ有効性の高い車両データが、車両毎に収集されるように収集条件を変更する仕組みが提供される。
【００６１】
仮に、各車両における車両別の車両状態を考慮することなく各車両に車両データを収集させてしまうと、車両データの項目によってはそのデータ収集量が不足する或いは過大となる虞がある。
【００６２】
即ち、例えば、都市部などデータ収集を行う車両の数が多い場合に、重複した車両データが多く集まって多様性を期待できない。また例えば、仮に都市部で一律のデータ収集条件にしたのでは、急減速や急加速が基本的に多発するので、そのようなトリガ条件の車両データが不必要なまでに過大或いは余剰に集まってしまう。或いは、各車両における車両状態を考慮することなく一律に、車両毎にデータ収集要件書をサーバ側で管理作成するのでは、そのためのコストが無駄に増大してしまいかねない。更に、このような場合に仮にデータ収集条件に取得位置リストを含めると、各車両の現在位置に寄らずに（各車両の周辺エリアのみならず）広範囲エリアの車両データを車載器側で持っておく必要が生じてしまう。加えて、地域毎（例えば、国毎や都道府県等毎）、更に時間帯毎或いは季節毎に、走行環境やドライバの運転傾向が異なる（即ち車両情報が異なる）ので、一の地域では一の車両データが不足したり、他の地域では該一の車両データが過大或いは余剰となったりしかねない。このように、車両別の車両状態を考慮しないでデータ収集条件を設定したのでは、相対的に有効性の高い車両データを効率的に収集或いは取得できない。
【００６３】
しかるに本態様によれば上述したように、車両毎に車両状態に基づいて設定された所望の収集条件で、有効性の高い車両データを効率的に（言い換えれば、適宜各車両に対して要件書或いはその変更をフィードバックすることで、複数台の車両か網羅的に効率良く）収集する（これにより更に、効率的に保存や活用する）ことが可能となる。
【００６４】
本発明の他の態様に係る車両データ収集システムでは、前記条件設定部は、前記車両別に、予め設定された複数カテゴリに分類された収集条件の中から、前記車両状態に基づいて一のカテゴリに属するものを選択することで、該選択されたものを前記所望の収集条件として設定する。
【００６５】
この態様によれば、予め設定された収集条件の中から一のカテゴリに属するものを選択することで、所望の収集条件を設定するので、当該設定作業を効率的且つ迅速に実行でき、よって、有効性の高い車両データを効率良くデータ収集可能となる。
【００６６】
本発明の他の態様に係る車両データ収集システムでは、前記条件設定部は、前記車両状況の成否に対応するトリガ条件を含む形で、前記所望の収集条件を設定し、前記制御部は、前記トリガ条件が成立した場合に、前記車両別に設定された所望の収集条件で前記車両データが収集されるように前記部位を制御する。
【００６７】
この態様によれば、各車両においてトリガ条件が成立した際に、該各車両において所望の収集条件でデータ収集が行われるので、データ収集を行うことが望まれるトリガ発火の際の車両データを効率良くデータ収集可能となる。
【００６８】
本発明の他の態様に係る車両データ収集システムでは、車両に搭載された車載器及びサーバがネットワークに収容されてなり、前記車両が予め設定された車両状況になった場合に、該車両状況に係る車両データを収集するための車両データ収集システムであって、前記サーバは、前記車載器側から前記ネットワークを介して送信された車両データを受信するサーバ側通信部と、該受信された車両データを収集する収集部と、該収集された車両データに含まれる一部データにより示される車両状態に基づいて、前記車両データに対する所望の収集条件を設定する条件設定部とを備え、前記サーバ側通信部は更に、前記設定された所望の収集条件を前記ネットワークを介して前記車載器側に送信し、前記車載器は、前記車両に設けられており前記車両状況に係る前記車両データを取得可能なデータ取得部と、該データ取得部により取得された車両データを記憶可能な記憶部と、該記憶部により記憶された車両データを前記サーバ側へ送信可能であり且つ前記送信された所望の収集条件を受信する車載器側通信部と、前記受信された所望の収集条件で前記車両データが前記収集部で収集されるように、前記データ取得部による取得、前記記憶部による記憶及び前記車載側通信部による送信のうち少なくとも一つを制御する制御部とを備える。
【００６９】
この態様によれば、ネットワークを介してサーバから各車両に送信される、車両毎のデータ収集条件に基づいて、例えば前述のデータ受信部を含んで構成されるデータ取得部における車両データの取得オン／オフを制御したり、通信部における送信オン／オフを制御したり、通信部におけるアップロードタイミングを制御したりすることにより、有効性の高い車両データを、効率良く収集することが可能となる。
【００７０】
この態様では、前記車両データを収集すべき一の車両状況に対応するトリガ条件が成立する場合として、前記車両データに含まれる一のデータの値が、前記データ収集条件に含まれると共に該一のデータに対して設定された所定閾値を上回る又は下回る場合に、前記一つの車両状況に係る車両データを取得するように、前記制御部は、前記取得、前記記憶及び前記送信のうち少なくとも一つを制御してもよい。
【００７１】
この態様によれば、車両データに含まれる一のデータの値が所定閾値を上回る（即ち、以上になる或いはより大きくなる）又は下回る（即ち、以下になる又はより小さくなる）ことをトリガ条件とする車両状況が発生した際に、設定された所望の収集条件で、有効性の高い車両データを効率的に収集することが可能となる。
【００７２】
本発明の他の態様に係る車両データ収集システムでは、前記車両データは、動的な車両情報に係るデータである。
【００７３】
この態様によれば、車両データが静的な車両情報に係るデータであっても、動的な（即ち、一定でない、或いは、車両の走行や停止、使用、時間経過などに応じて変化し得る）車両情報に係るデータであっても、車両状態に基づいて車両別に設定された所望の収集条件で、有効性の高い車両データを効率的に収集することが可能となる。
【００７４】
なお、当該車両データ収集システムにおける前記条件設定部の少なくとも一部或いは前記制御部の少なくとも一部は、複数の車両と共に通信ネットワークに収容されており、前記通信ネットワークを介して前記車両データを収集し、前記通信ネットワークを介して前記車両に対して前記所望の収集条件を規定する要件書を送信する、車両データ収集用サーバに組み込まれる形で、構築されてもよい。或いは、これら一部は、車両側に即ち車載器に組み込まれる形で構築されてもよい。
【００７５】
本発明は、上述した実施形態に限られるものではなく、特許請求の範囲及び明細書全体から読み取れる発明の要旨或いは思想に反しない範囲で適宜変更可能であり、そのような変更を伴う車両データ収集システムもまた本発明の技術的範囲に含まれるものである。
【符号の説明】
【００７６】
１…車載器、２…サーバ、１０１…データ受信部、１０２…データ収集判定部、１０３…通信部、１０４…記憶部、２００…ＤＢ（データベース）、２０１…走行データ受信部、２０２…車両情報受信部、２０３…要件書自動選択部
【図１】
2020140657.tif 000003
【図２】
2020140657.tif 000004
【図３】
2020140657.tif 000005
【図４】
2020140657.tif 000006
【図５】
2020140657.tif 000007
【図６】
2020140657.tif 000008
【図７】
2020140657.tif 000009